(57)【要約】      （修正有）【課題】段積み時の位置調整が容易なコンクリートブロックを提供する。【解決手段】表面形成壁１１と、表面形成壁１１の後方に間隔を開けて平行に配設された控え壁１３と、表面形成壁１１と控え壁１３との間に両壁１１、１３と直交して配設され両壁１１、１３を一体的に連結する連結壁１８、１９とからなり、連結壁１８、１９の上下に凹部が形成され、連結壁１８、１９の上面後部から上方に伸延するブロック支持リブ２５、２６が設けられ、ブロック支持リブ２５、２６の上面に、奥行を異にする他のコンクリートブロックの控え壁１３の下端面１４が載置、支持される控え壁支持面２７、２８が形成され、表面形成壁１１を垂直状態とした場合、控え壁１３の下端面１４は、表面形成壁１１の下端面１５より上方にずれているコンクリートブロック１０であって、表面形成壁１１及び控え壁１３の下端部の幅方向両側に切欠き部３１、３２を有する。【選択図】図１
0003212647.tif 000002
【実用新案登録請求の範囲】
【請求項１】
平板状の表面形成壁と、該表面形成壁の後方に間隔を開けて平行に配設された平板状の控え壁と、前記表面形成壁と前記控え壁との間に該両壁と直交する状態に配設されると共に該両壁を一体的に連結する複数の連結壁とからなり、かつ、側面視して前記連結壁の上下面にそれぞれ凹部が形成され、前記連結壁の上面後部に上方に向けて伸延するブロック支持リブが設けられ、該ブロック支持リブの上面に、奥行を異にする他のコンクリートブロックの控え壁の下端面が載置され、支持される控え壁支持面が形成され、前記表面形成壁を垂直状態とした場合、前記控え壁の下端面は、前記表面形成壁の下端面から所定距離上方にずれているコンクリートブロックであって、
前記表面形成壁及び前記控え壁のいずれか一方又は双方の下端部の幅方向両側にバール挿入用の切欠き部を有することを特徴とするコンクリートブロック。
【請求項２】
平板状の表面形成壁と、該表面形成壁の後方に間隔を開けて平行に配設された平板状の控え壁と、前記表面形成壁と前記控え壁との間に該両壁と直交する状態に配設されると共に該両壁を一体的に連結する複数の連結壁とからなり、かつ、側面視して前記連結壁の上下面にそれぞれ凹部が形成され、前記連結壁の上面後部に上方に向けて伸延するブロック支持リブが設けられ、該ブロック支持リブの上面に、奥行を異にする他のコンクリートブロックの控え壁の下端面が載置され、支持される控え壁支持面が形成され、前記表面形成壁を垂直状態とした場合、前記控え壁の下端面は、前記表面形成壁の下端面から所定距離上方にずれているコンクリートブロックであって、
前記表面形成壁及び前記控え壁のいずれか一方又は双方の周縁部の一部にバール挿入用の切欠き部を有することを特徴とするコンクリートブロック。
【考案の詳細な説明】
【技術分野】
【０００１】
本考案は、急勾配の擁壁等を短時間で容易かつ安定状態に構築することができるコンクリートブロックに関する。
【背景技術】
【０００２】
従来、崖等の土留めを主目的とする擁壁用のコンクリートブロックは、傾斜状に段積みされて構築される。特に、勾配が急峻で相当な高さの法面を有する場所であっても、容易かつ安定した状態で擁壁を構築することができるものとして、例えば特許文献１には、平行に間隔を開けて配設される表面形成壁と控え壁との間を一体的に連結する連結壁の上面後部に、上方に向けて伸延するブロック支持リブが突設され、その上面に、奥行を異にする他のコンクリートブロックの控え壁の下端面が載置され、支持される控え壁支持面が形成されたコンクリートブロックが開示されている。
【先行技術文献】
【特許文献】
【０００３】
【特許文献１】特開平１１−２１９２２号公報
【考案の概要】
【考案が解決しようとする課題】
【０００４】
しかしながら、特許文献１では、表面形成壁の上、下端面にそれぞれ嵌合突起と嵌合孔が設けられている以外は、表面形成壁及び控え壁の周縁部（外周）は平坦状に形成されており、段積みされた上下のコンクリートブロックの間や隣接して配置された左右のコンクリートブロックの間には隙間がなかった。擁壁を構築する際には、コンクリートブロックを順次、吊り上げて載置していくが、表面形成壁及び控え壁の外周に隙間がなく、載置後は前後、左右の位置調整が困難であるため、位置合わせに手間がかかり、施工性に欠けるという問題があった。
【０００５】
本考案は、かかる事情に鑑みてなされたもので、擁壁の構築時にコンクリートブロックを段積みする際に、コンクリートブロックの載置後でも容易に前後、左右の位置調整を行うことができる施工性に優れるコンクリートブロックを提供することを目的とする。
【課題を解決するための手段】
【０００６】
前記目的に沿う第１の考案に係るコンクリートブロックは、平板状の表面形成壁と、該表面形成壁の後方に間隔を開けて平行に配設された平板状の控え壁と、前記表面形成壁と前記控え壁との間に該両壁と直交する状態に配設されると共に該両壁を一体的に連結する複数の連結壁とからなり、かつ、側面視して前記連結壁の上下面にそれぞれ凹部が形成され、前記連結壁の上面後部に上方に向けて伸延するブロック支持リブが設けられ、該ブロック支持リブの上面に、奥行を異にする他のコンクリートブロックの控え壁の下端面が載置され、支持される控え壁支持面が形成され、前記表面形成壁を垂直状態とした場合、前記控え壁の下端面は、前記表面形成壁の下端面から所定距離上方にずれているコンクリートブロックであって、
前記表面形成壁及び前記控え壁のいずれか一方又は双方の下端部の幅方向両側にバール挿入用の切欠き部を有する。
【０００７】
前記目的に沿う第２の考案に係るコンクリートブロックは、平板状の表面形成壁と、該表面形成壁の後方に間隔を開けて平行に配設された平板状の控え壁と、前記表面形成壁と前記控え壁との間に該両壁と直交する状態に配設されると共に該両壁を一体的に連結する複数の連結壁とからなり、かつ、側面視して前記連結壁の上下面にそれぞれ凹部が形成され、前記連結壁の上面後部に上方に向けて伸延するブロック支持リブが設けられ、該ブロック支持リブの上面に、奥行を異にする他のコンクリートブロックの控え壁の下端面が載置され、支持される控え壁支持面が形成され、前記表面形成壁を垂直状態とした場合、前記控え壁の下端面は、前記表面形成壁の下端面から所定距離上方にずれているコンクリートブロックであって、
前記表面形成壁及び前記控え壁のいずれか一方又は双方の周縁部の一部にバール挿入用の切欠き部を有する。
【考案の効果】
【０００８】
第１の考案に係るコンクリートブロックは、表面形成壁及び控え壁のいずれか一方又は双方の下端部の幅方向両側にバール挿入用の切欠き部を有するので、コンクリートブロックの段積み時に、コンクリートブロックを基礎ブロックの上や他のコンクリートブロックの上に載置した後でも、コンクリートブロックの左右で切欠き部に挿入したバールでコンクリートブロックを持ち上げるようにして、容易に位置調整を行い、コンクリートブロックの位置ずれや傾きを確実に防止することができる。
第２の考案に係るコンクリートブロックは、表面形成壁及び控え壁のいずれか一方又は双方の周縁部の一部にバール挿入用の切欠き部を有するので、コンクリートブロックの段積み時に、コンクリートブロックを基礎ブロックの上や他のコンクリートブロックの上に載置した後でも、コンクリートブロックの前方又は後方から切欠き部にバールの先端を挿入し、コンクリートブロックの表面を傷つけることなく、載置したコンクリートブロックを前後、左右に動かして容易に位置調整を行うことができる。
【図面の簡単な説明】
【０００９】
【図１】本考案の一実施の形態に係るコンクリートブロックの斜視図である。
【図２】同コンクリートブロックの正面図である。
【図３】同コンクリートブロックの側面図である。
【図４】同コンクリートブロックの段積み状態の側面図である。
【考案を実施するための形態】
【００１０】
続いて、添付した図面を参照しつつ、本考案を具体化した実施の形態につき説明し、本考案の理解に供する。
図１〜図４において、本考案の一実施の形態に係るコンクリートブロック１０は、崖等の土留めを主目的として傾斜状に段積みされて擁壁を構築するものである。
まず、コンクリートブロック１０の構成について説明する。なお、コンクリートブロック１０は所定の成形装置を用いて一体成形される。
図１〜図４に示すように、コンクリートブロック１０は、表面形成壁１１と、控え壁１３と、連結壁１８、１９を有している。所定の厚みを有する平板状の矩形板からなる表面形成壁１１は、その前面に、装飾模様の表面１２を有している。表面形成壁１１の後方には、表面形成壁１１の後部と平行に間隔を開けて前後方向に整合状態に控え壁１３が配設されている。控え壁１３は、実質的に、表面形成壁１１とほぼ同一寸法の平板状の矩形板からなる。
但し、図１、図３において、表面形成壁１１を垂直状態とした場合、控え壁１３の下端面１４は、表面形成壁１１の下端面１５から所定距離ｄ（例えば、９０〜１１０ｍｍ）だけ上方にずれている。このずれは、傾斜状の擁壁の構築時に、図４に示すように、表面形成壁１１と控え壁１３を傾斜させてコンクリートブロック１０を設置した際に、表面形成壁１１の上端面１６と控え壁１３の上端面１７とが略水平になるように設けられたものである。
【００１１】
次に、図１、図３、図４に示すように、表面形成壁１１と控え壁１３との間には、左右一対の連結壁１８、１９が、両壁１１、１３と直交する状態に配設されており、連結壁１８、１９の前、後端部は、それぞれ表面形成壁１１の後面と控え壁１３の前面とに一体的に連結されている。このとき、表面形成壁１１の後面には、表面形成壁１１の外周側から中心側（連結壁１８、１９との連結位置）に向かって徐々に肉厚が増加するように傾斜状に形成されて表面形成壁１１の後面を補強する補強部１１ａ、１１ｂが設けられている。また、控え壁１３の前面には、控え壁１３の外周側から中心側（連結壁１８、１９との連結位置）に向かって徐々に肉厚が増加するように傾斜状に形成されて控え壁１３の前面を補強する補強部１３ａ、１３ｂが設けられている。また、表面形成壁１１及び控え壁１３と連結壁１８、１９との連結位置の周辺のみを段差状に肉厚に形成して補強部としてもよい。
なお、図１、図３において、連結壁１８、１９の高さｈ２（例えば、３４０〜３５０ｍｍ）は表面形成壁１１の高さｈ（例えば、７９８ｍｍ）及び控え壁１３の高さｈ１（例えば、７９５ｍｍ）と比較して短く設定されている。従って、側面視して連結壁１８、１９の上下面には、それぞれ凹部２０、２１が形成されている。
また、図１において、連結壁１８の左側及び連結壁１９の右側には、それぞれ凹部２２、２３が形成され、連結壁１８、１９の間には中央開口２４が設けられている。
【００１２】
さらに、図１〜図４に示すように、連結壁１８、１９の上面後部に上方に向けて伸延するブロック支持リブ２５、２６がそれぞれ突設されている。そして、図４に示すように、ブロック支持リブ２５、２６の上端面には、奥行Ｄ１（例えば、７４０〜７５０ｍｍ）をコンクリートブロック１０の奥行Ｄ（例えば、１０００ｍｍ）より短くした他のコンクリートブロック１０’の控え壁１３の下端面１４が載置され、支持される控え壁支持面２７、２８が形成されている。
なお、図１〜図３において、表面形成壁１１の上、下端面１６、１５は、共に後方に向けて上方向に傾斜しているが、図４に示すように、法面３３上に傾斜状の擁壁を構築する際には、略水平状態となるように設置される。
また、図１〜図３に示すように、表面形成壁１１の上、下端面１６、１５には、それぞれ嵌合突起２９と、嵌合孔３０とが設けられている。
さらに、図１〜図４に示すように、表面形成壁１１及び控え壁１３の周縁部の一部である下端部の幅方向の両側部（角部）には、それぞれ表面形成壁１１及び控え壁１３を厚さ方向に貫通するバール挿入用の切欠き部３１、３２が設けられている。なお、切欠き部３１、３２の幅及び高さは、使用するバールの寸法に応じて、適宜、選択することができる。
【００１３】
次に、上記した構成を有するコンクリートブロック１０、及び、奥行Ｄ１を、コンクリートブロック１０の奥行Ｄより短くすると共に、他の寸法関係をコンクリートブロック１０と略等しくするコンクリートブロック１０’を用いて擁壁を構築する作業について説明する。
まず、図４に示すように、法面３３の傾斜に合わせて、コンクリートブロック１０の表面形成壁１１及び控え壁１３が傾斜するように、擁壁の基礎となる基礎ブロック３４上に奥行Ｄを有するコンクリートブロック１０を載置する。この際、コンクリートブロック１０の幅方向（左右）に並べて配置される複数のコンクリートブロック１０の表面が面一となるように位置合わせする必要がある。そこで、切欠き部３１、３２に対し、表面形成壁１１の前方側及び控え壁１３の後方側からバールの先端を挿入し、コンクリートブロック１０を持ち上げるようにして前後方向や左右方向にずらすことにより、簡単に位置調整を行うことができる。
【００１４】
次に、図４において、コンクリートブロック１０上に、コンクリートブロック１０より小型、即ち、奥行Ｄ１をコンクリートブロック１０の奥行Ｄより短くした複数のコンクリートブロック１０’を載置する。なお、奥行寸法を除いてコンクリートブロック１０’は、コンクリートブロック１０と同一の形状及び寸法を有するので、各構成要素は同一の符号で示す。この際、下段のコンクリートブロック１０の表面形成壁１１の上端面１６に設けられた嵌合突起２９が、上段のコンクリートブロック１０’の表面形成壁１１の下端面１５に設けられた嵌合孔３０に遊嵌される（図２、図３参照）。
また、図４に示すように、上段のコンクリートブロック１０’の表面形成壁１１の下端面１５と控え壁１３の下端面１４は、それぞれ下段のコンクリートブロック１０の表面形成壁１１の上端面１６とブロック支持リブ２５、２６の控え壁支持面２７、２８上に安定状態に載置されることになる。このとき、コンクリートブロック１０の表面形成壁１１の上端面１６、控え壁１３の上端面１７、及びブロック支持リブ２５、２６の控え壁支持面２７、２８は、それぞれ水平となっている。これにより、コンクリートブロック１０と、コンクリートブロック１０上に載置されるコンクリートブロック１０’との間の相対的な滑りを効果的に防止することができる。
なお、コンクリートブロック１０’をコンクリートブロック１０上に段積みする際にも、上下に並べて配置されるコンクリートブロック１０’とコンクリートブロック１０の表面、及び左右に並べて配置されるコンクリートブロック１０’同士の表面が面一となるように位置合わせする必要がある。よって、前述と同様に、コンクリートブロック１０’の切欠き部３１、３２に対し、表面形成壁１１の前方側及び控え壁１３の後方側からバールの先端を挿入し、コンクリートブロック１０’を持ち上げるようにして前後方向や左右方向にずらして位置調整を行いながら、順次、コンクリートブロック１０’を載置する。
【００１５】
その後は、コンクリートブロック１０’上に順次、コンクリートブロック１０’を積み上げていく。この際も、前述と同様に、下段のコンクリートブロック１０’の表面形成壁１１の上端面１６に設けられた嵌合突起２９が、上段のコンクリートブロック１０’の表面形成壁１１の下端面１５に設けられた嵌合孔３０に遊嵌される（図２、図３参照）。
また、上段のコンクリートブロック１０’の表面形成壁１１の下端面１５と控え壁１３の下端面１４は、それぞれ下段のコンクリートブロック１０’の表面形成壁１１の上端面１６とブロック支持リブ２５、２６の控え壁支持面２７、２８上に安定状態に載置されることになる。このとき、下段のコンクリートブロック１０’の表面形成壁１１の上端面１６、控え壁１３の上端面１７、及びブロック支持リブ２５、２６の控え壁支持面２７、２８は、それぞれ水平となっているので、その後、段積みされる上下のコンクリートブロック１０’の間の相対的な滑りも効果的に防止することができる。
なお、コンクリートブロック１０’をコンクリートブロック１０’上に段積みする際にも、上下、左右に並べて配置されるコンクリートブロック１０’同士の表面が面一となるように位置合わせする必要がある。よって、前述と同様に、コンクリートブロック１０’の切欠き部３１、３２に対し、表面形成壁１１の前方側及び控え壁１３の後方側からバールの先端を挿入し、コンクリートブロック１０’を持ち上げるようにして前後方向や左右方向にずらして位置調整を行いながら、順次、コンクリートブロック１０’を積み上げていく。
【００１６】
所定の高さまでコンクリートブロック１０、１０’を積み上げた後、凹部２２、２３によって形成される縦孔、及び、中央開口２４によって形成される縦孔内に、コンクリート３５を充填し、固化させて、基礎ブロック３４及びコンクリートブロック１０、１０’を一体化する。このとき、連結壁１８、１９の上下には、それぞれ凹部２０、２１が形成されているので、凹部２２、２３によって形成される縦孔、及び、中央開口２４によって形成される縦孔内に充填されるコンクリート３５は、凹部２０、２１を通って水平（左右）方向にも流動し、コンクリートブロック１０、１０’で形成された空洞内を隙間なく埋めて全体を一体化することができる。
その後、法面３３と、コンクリートブロック１０、１０’の背面（控え壁１３の後方側）との間に砕石及び土砂を充填することによって、急勾配でありながら、十分な高さを有すると共に強固な一体構造を有する擁壁を構築することができる。
【００１７】
従って、山間地や宅地造成地等のように急勾配でかつ相当の高さの法面を必要とする場所においても、強固な構造を有する擁壁を容易かつ安定状態に構築することができる。
なお、本実施の形態では、奥行Ｄ、Ｄ１が異なる２種類のコンクリートブロック１０、１０’を用いて擁壁を構築する場合について説明したが、各奥行寸法は構築する擁壁の高さに応じて、適宜、選択することができ、奥行寸法が異なる３種類以上のコンクリートブロックを組み合わせて用いてもよい。このとき、各コンクリートブロックの段積み数は、適宜、選択することができる。例えば、本実施の形態では、コンクリートブロック１０を最下段のみに設置したが、コンクリートブロック１０を複数段設置した上に、コンクリートブロック１０’を設置してもよい。
また、本実施の形態では、ブロック支持リブ２５、２６は、コンクリートブロック１０、１０’の幅方向に間隔を開けて複数配設されているので、その上段に載置されるコンクリートブロック１０’をさらに安定状態に支持することができるが、ブロック支持リブの数や配置間隔は、適宜、選択することができる。
なお、表面形成壁１１の表面１２に形成する装飾模様は適宜、選択することができ、無模様の滑面（平坦状）に形成してもよい。
【００１８】
以上、本考案を一実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。
上記実施の形態では、表面形成壁及び控え壁の下端部の幅方向の両側部（角部）にそれぞれ切欠き部を設けたが、切欠き部の数や配置間隔は適宜、選択することができる。例えば、切欠き部は表面形成壁及び控え壁の角部ではなく、下端部の幅方向中央よりに設けてもよい。また、切欠き部は表面形成壁のみに設けたり、控え壁のみに設けたりしてもよいし、表面形成壁又は控え壁の側面部に設けてもよい。なお、切欠き部は表面形成壁及び控え壁の上端部に設けることもでき、その場合は、上段に載置されるコンクリートブロックの位置調整に用いることができる。
また、コンクリートブロックの連結壁の左右両側に設けた凹部によって形成される縦孔内には鉄筋や継ぎ鉄筋を配筋した後コンクリートを充填して、擁壁の強度をさらに向上することもできる。
【符号の説明】
【００１９】
１０、１０’：コンクリートブロック、１１：表面形成壁、１１ａ、１１ｂ：補強部、１２：表面、１３：控え壁、１３ａ、１３ｂ：補強部、１４、１５：下端面、１６、１７：上端面、１８、１９：連結壁、２０、２１、２２、２３：凹部、２４：中央開口、２５、２６：ブロック支持リブ、２７、２８：控え壁支持面、２９：嵌合突起、３０：嵌合孔、３１、３２：切欠き部、３３：法面、３４：基礎ブロック、３５：コンクリート
【図１】
0003212647.tif 000003
【図２】
0003212647.tif 000004
【図３】
0003212647.tif 000005
【図４】
0003212647.tif 000006